【手続補正書】
【提出日】平成29年7月25日(2017.7.25)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
サブフレームにわたるか、
サブフレーム内のスロットの間か、または
各リソースブロック内の異なるシンボルおよびトーンにわたるかのうちの少なくとも１つにおいて、チャンネル状態情報基準信号（ＣＳＩ−ＲＳ）のリソースまたは干渉測定リソース（ＩＭＲ）のリソースの少なくとも一方を、基地局によって無線フレーム内でスタガリングすることと、
ユーザ機器（ＵＥ）に前記無線フレームを前記基地局によって送信することと、
前記ＵＥからのチャンネル状態報告を前記基地局によって受信することと、ここにおいて、前記チャンネル状態報告が、前記スタガリングされたＣＳＩ−ＲＳまたはＩＭＲのリソースの少なくとも一方に基づく、を備え、
前記チャンネル状態報告が、無認可スペクトル干渉のないＣＳＩ−ＲＳのリソースと無認可スペクトル干渉を経験するＣＳＩ−ＲＳのリソースとに基づく、方法。
【請求項２】
前記受信されたチャンネル状態報告に基づいて前記ＵＥによる使用のための１つまたは複数のリソースを決定することをさらに含む、請求項１に記載の方法。
【請求項３】
リソーススタガリングパターンと、
ＩＭＲリソース構成と、
ヌルトーン構成とのうちの少なくとも１つを他の基地局に前記基地局によって示すことをさらに含む、請求項１に記載の方法。
【請求項４】
サブフレームにわたるか、
サブフレーム内のスロットの間か、または
各リソースブロック内の異なるシンボルおよびトーンにわたるかのうちの少なくとも１つにおいて、チャンネル状態情報基準信号（ＣＳＩ−ＲＳ）のリソースまたは干渉測定リソース（ＩＭＲ）のリソースの少なくとも一方を、基地局によって無線フレーム内でスタガリングするための手段と、
ユーザ機器（ＵＥ）に前記無線フレームを前記基地局によって送信するための手段と、
前記ＵＥからのチャンネル状態報告を前記基地局によって受信するための手段と、ここにおいて、前記チャンネル状態報告が、前記スタガリングされたＣＳＩ−ＲＳまたはＩＭＲのリソースの少なくとも一方に基づく、を備え、
前記チャンネル状態報告が、無認可スペクトル干渉のないＣＳＩ−ＲＳのリソースと無認可スペクトル干渉を経験するＣＳＩ−ＲＳのリソースとに基づく、ワイヤレス通信装置。
【請求項５】
前記受信されたチャンネル状態報告に基づいて前記ＵＥによる使用のための１つまたは複数のリソースを決定するための手段をさらに含む、請求項４に記載の装置。
【請求項６】
リソーススタガリングパターンと、
ＩＭＲリソース構成と、
ヌルトーン構成とのうちの少なくとも１つを他の基地局に前記基地局によって示すための手段をさらに含む、請求項４に記載の装置。
【請求項７】
請求項１〜３のいずれか一項に係る方法を行うように実行可能である命令を備える、コンピュータプログラム製品。
【請求項８】
ワイヤレス通信の方法であって、
基地局からの無線フレームをユーザ機器（ＵＥ）によって受信することと、ここにおいて、前記無線フレームが、
サブフレームにわたるか、
サブフレーム内のスロットの間か、または
異なるリソースブロックに対するスロットにわたる複数のシンボルの中の少なくとも１つにおいてスタガリングされたチャンネル状態情報基準信号（ＣＳＩ−ＲＳ）または干渉測定リソース（ＩＭＲ）のリソースの少なくとも一方を有する、
前記スタガリングされたＣＳＩ−ＲＳまたはＩＭＲのリソースの少なくとも一方に基づいてチャンネル推定または干渉推定の少なくとも一方を前記ＵＥによって実行することと、
チャンネル推定または干渉推定の前記少なくとも一方に基づいてチャンネル状態報告を前記ＵＥによって生成することと、を備え、
前記チャンネル状態報告が、無認可スペクトル干渉のないＣＳＩ−ＲＳのリソースと無認可スペクトル干渉を経験するＣＳＩ−ＲＳのリソースとに基づく、方法。
【請求項９】
前記基地局に前記チャンネル状態報告を前記ＵＥによって送信することをさらに含む、請求項８に記載の方法。
【請求項１０】
ワイヤレス通信装置であって、
基地局からの無線フレームをユーザ機器（ＵＥ）によって受信するための手段と、ここにおいて、前記無線フレームが、
サブフレームにわたるか、
サブフレーム内のスロットの間か、または
異なるリソースブロックに対するスロットにわたる複数のシンボルの中の少なくとも１つにおいてスタガリングされたチャンネル状態情報基準信号（ＣＳＩ−ＲＳ）または干渉測定リソース（ＩＭＲ）のリソースの少なくとも一方を有する、
前記スタガリングされたＣＳＩ−ＲＳまたはＩＭＲのリソースの少なくとも一方に基づいてチャンネル推定または干渉推定の少なくとも一方を前記ＵＥによって実行するための手段と、
前記基地局によって送信された無線フレーム内のチャンネル状態情報基準信号（ＣＳＩ−ＲＳ）のリソースに基づいて１つまたは複数の干渉報告を前記ＵＥによって生成するための手段と、を備え、
前記１つまたは複数の干渉報告が、無認可スペクトル干渉のないＣＳＩ−ＲＳのリソースと無認可スペクトル干渉を経験するＣＳＩ−ＲＳのリソースとに基づく、ワイヤレス通信装置。
【請求項１１】
前記基地局に前記１つまたは複数の干渉報告を前記ＵＥによって送信するための手段をさらに含む、請求項１０に記載の装置。
【請求項１２】
請求項８〜９のいずれか一項に係る方法を行うように実行可能である命令を備える、コンピュータプログラム製品。
【手続補正２】
【補正対象書類名】明細書
【補正対象項目名】０１２７
【補正方法】変更
【補正の内容】
【０１２７】
[00151]本開示についての以上の説明は、いかなる当業者でも本開示を作成または使用することができるように与えたものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願の出願当初の特許請求の範囲に記載された発明を付記する。
［Ｃ１］
ワイヤレス通信の方法であって、
サブフレームにわたるか、
サブフレーム内のスロットの間か、または
各リソースブロック内の異なるシンボルおよびトーンにわたるかのうちの少なくとも１つにおいて、チャンネル状態情報基準信号（ＣＳＩ−ＲＳ）のリソースまたは干渉測定リソース（ＩＭＲ）のリソースの少なくとも一方を、基地局によって無線フレーム内でスタガリングすることと、
ユーザ機器（ＵＥ）に前記無線フレームを前記基地局によって送信することとを備える、方法。
［Ｃ２］
チャンネル状態報告形の前記ＵＥを前記基地局によって受信することをさらに含み、前記チャンネル状態報告が、前記スタガリングされたＣＳＩ−ＲＳまたはＩＭＲのリソースの少なくとも一方に基づく、Ｃ１に記載の方法。
［Ｃ３］
前記受信されたチャンネル状態報告に基づいて前記ＵＥによる使用のための１つまたは複数のリソースを決定することをさらに含む、Ｃ２に記載の方法。
［Ｃ４］
リソーススタガリングパターンと、
ＩＭＲリソース構成と、
ヌルトーン構成とのうちの少なくとも１つを他の基地局に前記基地局によって示すことをさらに含む、Ｃ１に記載の方法。
［Ｃ５］
サブフレームにわたるか、
サブフレーム内のスロットの間か、または
各リソースブロック内の異なるシンボルおよびトーンにわたるかのうちの少なくとも１つにおいて、チャンネル状態情報基準信号（ＣＳＩ−ＲＳ）のリソースまたは干渉測定リソース（ＩＭＲ）のリソースの少なくとも一方を、基地局によって無線フレーム内でスタガリングするための手段と、
ユーザ機器（ＵＥ）に前記無線フレームを前記基地局によって送信するための手段とを備える、ワイヤレス通信装置。
［Ｃ６］
チャンネル状態報告形の前記ＵＥを前記基地局によって受信するための手段をさらに含み、前記チャンネル状態報告が、前記スタガリングされたＣＳＩ−ＲＳまたはＩＭＲのリソースの少なくとも一方に基づく、Ｃ５に記載の装置。
［Ｃ７］
前記受信されたチャンネル状態報告に基づいて前記ＵＥによる使用のための１つまたは複数のリソースを決定するための手段をさらに含む、Ｃ６に記載の装置。
［Ｃ８］
リソーススタガリングパターンと、
ＩＭＲリソース構成と、
ヌルトーン構成とのうちの少なくとも１つを他の基地局に前記基地局によって示すための手段をさらに含む、Ｃ５に記載の装置。
［Ｃ９］
プログラムコードを記録した非一時的コンピュータ可読媒体であって、
サブフレームにわたるか、
サブフレーム内のスロットの間か、または
各リソースブロック内の異なるシンボルおよびトーンにわたるかのうちの少なくとも１つにおいて、チャンネル状態情報基準信号（ＣＳＩ−ＲＳ）のリソースまたは干渉測定リソース（ＩＭＲ）のリソースの少なくとも一方を、基地局によって無線フレーム内でスタガリングすることを、１つまたは複数のコンピュータに行わせるためのコードと、
ユーザ機器（ＵＥ）に前記無線フレームを前記基地局によって送信することを、前記１つまたは複数のコンピュータに行わせるためのコードとを備える、非一時的コンピュータ可読媒体。
［Ｃ１０］
チャンネル状態報告形の前記ＵＥを前記基地局によって受信することを、前記１つまたは複数のコンピュータに行わせるためのコードをさらに含み、前記チャンネル状態報告が、前記スタガリングされたＣＳＩ−ＲＳまたはＩＭＲのリソースの少なくとも一方に基づく、Ｃ９に記載の非一時的コンピュータ可読媒体。
［Ｃ１１］
前記受信されたチャンネル状態報告に基づいて前記ＵＥによる使用のための１つまたは複数のリソースを、前記１つまたは複数のコンピュータに決定させるためのコードをさらに含む、Ｃ１０に記載の非一時的コンピュータ可読媒体。
［Ｃ１２］
リソーススタガリングパターンと、
ＩＭＲリソース構成と、
ヌルトーン構成とのうちの少なくとも１つを他の基地局に、前記基地局によって示すことを、前記１つまたは複数のコンピュータに行わせるためのコードをさらに含む、Ｃ９に記載の非一時的コンピュータ可読媒体。
［Ｃ１３］
ワイヤレス通信の方法であって、
基地局からの無線フレームをユーザ機器（ＵＥ）によって受信することと、ここにおいて、前記無線フレームが、
サブフレームにわたるか、
サブフレーム内のスロットの間か、または
異なるリソースブロックに対するスロットにわたる複数のシンボルの中の少なくとも１つにおいてスタガリングされたチャンネル状態情報基準信号（ＣＳＩ−ＲＳ）または干渉測定リソース（ＩＭＲ）のリソースの少なくとも一方を有する、
前記スタガリングされたＣＳＩ−ＲＳまたはＩＭＲのリソースの少なくとも一方に基づいてチャンネル推定または干渉推定の少なくとも一方を前記ＵＥによって実行することとを備える、方法。
［Ｃ１４］
チャンネル推定または干渉推定の少なくとも一方に基づいてチャンネル状態報告を前記ＵＥによって生成することをさらに含む、Ｃ１３に記載の方法。
［Ｃ１５］
前記基地局に前記チャンネル状態報告を前記ＵＥによって送信することをさらに含む、Ｃ１４に記載の方法。